(57)【要約】      （修正有）【課題】トイレの清掃を容易に行うことができる洗浄便座装置を提供することにある。【解決手段】便座と、局部洗浄装置を有する本体５と、局部洗浄装置を操作する操作部６と、本体５に設けられ、操作部６を係止するための第１係止部２１と、操作部６に設けられ、当該操作部６を本体５に係止するための第２係止部３２と、を備え、第１係止部２１と第２係止部３２のいずれか一方は、磁石を有し、他方は、磁性部材３５を有する洗浄便座装置。【選択図】図４
2020100972.tif 000002
【特許請求の範囲】
【請求項１】
便座と、
局部洗浄装置を有する本体と、
前記局部洗浄装置を操作する操作部と、
前記本体に設けられ、前記操作部を係止するための第１係止部と、
前記操作部に設けられ、当該操作部を前記本体に係止するための第２係止部と、を備え、
前記第１係止部と前記第２係止部のいずれか一方は、磁石を有し、他方は、磁性部材を有する
洗浄便座装置。
【請求項２】
便座と、
局部洗浄装置を有する本体と、
前記局部洗浄装置を操作する操作部と、
前記便座に設けられ、前記操作部を前記便座に係止するための第１係止部と、
前記操作部に設けられ、当該操作部を前記便座に係止するための第２係止部と、を備え、
前記第１係止部と前記第２係止部のいずれか一方は、磁石を有し、他方は、磁性部材を有する
洗浄便座装置。
【請求項３】
前記第１係止部と前記第２係止部のいずれか一方は、第１磁石を有し、当該第１磁石の近傍に軸受を有し、他方は、前記第１磁石の磁力が及ぶ範囲に第１磁性部材を有し、当該第１磁性部材の近傍に設けられ、前記第１係止部に対して前記第２係止部を回転可能にする軸部を有し、
前記第１係止部と前記第２係止部のいずれか一方は、前記第１磁石より重力方向上方に第２磁石を有し、他方は、前記第２磁石の磁力が及ぶ範囲に第２磁性部材を有し、
前記第１磁石と第１磁性部材の引き合う力は、前記第２磁石と前記第２磁性部材の引き合う力より強い
請求項１又は請求項２に記載の洗浄便座装置。
【請求項４】
前記第１係止部と前記第２係止部のいずれか一方は、第１磁石を有し、当該第１磁石の近傍に設けられ、前記第１係止部に対して前記第２係止部を回転可能にする軸部を有し、他方は、前記第１磁石の磁力が及ぶ範囲に第１磁性部材を有し、当該第１磁性部材の近傍に軸受を有し、
前記第１係止部と前記第２係止部のいずれか一方は、前記第１磁石より重力方向上方に第２磁石を有し、他方は、記第２磁石の磁力が及ぶ範囲に第２磁性部材を有し、
前記第１磁石と第１磁性部材の引き合う力は、前記第２磁石と前記第２磁性部材の引き合う力より強い
請求項１又は請求項２に記載の洗浄便座装置。
【請求項５】
前記第１係止部は、前記第２係止部との合わせ面が重力方向下方を向いている
請求項３から請求項４のいずれか一項に記載の洗浄便座装置。
【請求項６】
前記第２係止部は、前記第１係止部との合わせ面重力方向下方を向いている
請求項１から請求項４のいずれか一項に記載の洗浄便座装置。
【請求項７】
前記便座は、ダンパ装置を介して開閉される
請求項２から請求項６のいずれか一項に記載の洗浄便座装置。
【発明の詳細な説明】
【技術分野】
【０００１】
本発明は、洗浄便座装置に関する。
【背景技術】
【０００２】
従来から、洗浄便座装置の一例として、局部洗浄装置本体に局部洗浄装置を操作する操作部が一体形成されているものが知られている。（特許文献１）。
【先行技術文献】
【特許文献】
【０００３】
【特許文献１】特開２０１０―１８５２１４号公報
【発明の概要】
【発明が解決しようとする課題】
【０００４】
ところが、上記のような洗浄便座装置の場合、操作部を本体に一体に固定するため、トイレの清掃を行う際、操作部が清掃を阻害するという問題があった。
【０００５】
本発明はこうした実情に鑑みてなされたものであり、その目的は、トイレの清掃を容易に行うことができる洗浄便座装置を提供することにある。
【課題を解決するための手段】
【０００６】
上記の課題を解決する洗浄便座装置は、便座と、局部洗浄装置を有する本体と、前記局部洗浄装置を操作する操作部と、前記本体に設けられ、前記操作部を係止するための第１係止部と、前記操作部に設けられ、当該操作部を前記本体に係止するための第２係止部と、を備え、前記第１係止部と前記第２係止部のいずれか一方は、磁石を有し、他方は、磁性部材を有する構成である。
【０００７】
上記の課題を解決する洗浄便座装置は、便座と、局部洗浄装置を有する本体と、前記局部洗浄装置を操作する操作部と、前記便座に設けられ、前記操作部を係止するための第１係止部と、前記操作部に設けられ、当該操作部を前記便座に係止するための第２係止部と、を備え、前記第１係止部と前記第２係止部のいずれか一方は、磁石を有し、他方は、磁性部材を有する構成である。
【０００８】
上記構成によれば、操作部は、磁力により本体（便座）に係止されているため、本体（便座）から取り外しできる。そのため、便器を清掃する際、操作部が清掃作業を阻害することを抑制することができる。また、突出部等を引っ掛けることで操作部を保持するものと比べて、磁石により操作部を係止する係止部は、凹凸を抑制することができる。そのため、係止部の清掃を容易に行うことができる。
【０００９】
上記構成において、前記第１係止部と前記第２係止部のいずれか一方は、第１磁石を有し、当該第１磁石の近傍に軸受を有し、他方は、前記第１磁石の磁力が及ぶ範囲に第１磁性部材を有し、当該第１磁性部材の近傍に設けられ、前記第１係止部に対して前記第２係止部を回転可能にする軸部を有し、前記第１係止部と前記第２係止部のいずれか一方は、前記第１磁石より重力方向上方に第２磁石を有し、他方は、前記第２磁石の磁力が及ぶ範囲に第２磁性部材を有し、前記第１磁石と第１磁性部材の引き合う力は、前記第２磁石と前記第２磁性部材の引き合う力より強いことが好ましい。
【００１０】
上記構成において、前記第１係止部と前記第２係止部のいずれか一方は、第１磁石を有し、当該第１磁石の近傍に設けられ、前記第１係止部に対して前記第２係止部を回転可能にする軸部を有し、他方は、前記第１磁石の磁力が及ぶ範囲に第１磁性部材を有し、当該第１磁性部材の近傍に軸受を有し、前記第１係止部と前記第２係止部のいずれか一方は、前記第１磁石より重力方向上方に第２磁石を有し、他方は、記第２磁石の磁力が及ぶ範囲に第２磁性部材を有し、前記第１磁石と第１磁性部材の引き合う力は、前記第２磁石と前記第２磁性部材の引き合う力より強いことが好ましい
便座に座った使用者が便座から立ち上がる際、使用者が操作部に手をついて立ち上がることが想定される。その場合、取り外し可能な操作部は、本体（便座）から外れてしまう恐れがある。
【００１１】
しかしながら、上記構成によれば、使用者が操作部に手を突き、操作部に上方からの力が加わった際、第２磁石部が第２磁性部材を引き合う力より第１磁石部が第１磁性部材を引き合う力が大きいため、第２磁石は、第１磁石部より先に操作部を保持できなくなる。そして、第２磁石部の保持力がなくなった操作部が軸部と軸受を中心にして下方に回転するため、操作部に力を加える使用者の手が操作部から離れる。そのため、操作部に使用者の手から加わる力は、第２磁石が保持できなくなった時点で操作部に伝達されることが抑制される。したがって、操作部には、第１磁石部の保持力以上の力が操作部に伝達されることが抑制される。その結果、操作部は、第１磁石と第１磁性部材により保持されることで床に落下することが抑制される。
【００１２】
上記構成において、前記第１係止部は、前記第２係止部との合わせ面が重力方向下方を向いていることが好ましい
上記構成によれば、本体側（便座側）の第１係止部は、操作部側の第２係止部との合わせ面が下方を向いている。そのため、軸部と軸受は、上方から操作部を見た際、第１係止部の合わせ面に隠れて視認することができない。その結果、使用者が操作部に上方から手を突いた際、上方からの力が軸部と軸受に直接加わることを抑制できるため、操作部は、第１磁石の力で保持されることで床に落下することが抑制される。
【００１３】
上記構成において、前記第２係止部は、前記第１係止部との合わせ面重力方向下方を向いていることが好ましい
上記構成によれば、操作部側の第２係止部は、第１係止部との合わせ面が重力方向下方を向いている。そのため、操作部は、第１係止部の合わせ面に荷重をかけることができるため、本体側（便座側）に係止するための磁力を軽減することができる。
【００１４】
上記構成において、前記便座は、ダンパ装置を介して開閉されることが好ましい
便座が素早く閉じる場合、便座に取り付けられた操作部は、慣性により床に落下する恐れがある。
【００１５】
しかし、上記構成によれば、便座がゆっくり閉じるため、便座に取り付けられた操作部は、便座から落下することを抑制される。
【図面の簡単な説明】
【００１６】
【図１】便器の斜視図である。
【図２】第１係止部の拡大斜視図である。
【図３】操作部の拡大斜視図である。
【図４】第１係止部及び第２係止部の断面図である。
【図５】操作部を取り外した第１係止部及び第２係止部の断面図である。
【図６】落下抑制機能が作動した第１係止部及び第２係止部の断面図である。
【図７】第２実施形態の便器の斜視図である。
【図８】第３実施形態の第１係止部及び第２係止部の断面図である。
【図９】変形例の第１係止部及び第２係止部の断面図である。
【発明を実施するための形態】
【００１７】
以下、図面を参照しながら、本発明の実施形態について詳細に説明する。
【００１８】
図１は、便器１の斜視図である。
【００１９】
図１に示すように、便器１は、洋式便器である便器本体２と、便器本体２便器１の後方に設置された水タンク３と、便器本体２の上部に取り付けられた局部洗浄装置４と、を備えている。水タンク３には、便器本体２内の排泄物を排水するための洗浄用水が溜められている。
【００２０】
局部洗浄装置４は、本体５と、操作部６と、便座７と、便蓋８と、を備えている。以下、便座７に着座した使用者から見て前方を前、後方を後ろ、左右方向を左右、重力方向における上下を上方と下方として説明する。また、便座７と便蓋８とは、それぞれ起立位置と倒伏位置との間で、それぞれ別個にかつ両者一緒に回動可能に設けられるが、以下では、便宜上、これらが倒伏位置から起立位置へ向かって回動することを「開く」といい、起立位置から倒伏位置へ向かって回動することを「閉じる」という。
【００２１】
本体５は、筐体状を呈し、本体５の右側部において操作部６が着脱可能に設けられている。本体５には、便座・便蓋開閉部１１、洗浄ノズル１２、並びに、図示されない温水タンク３、各種駆動部、ヒータ等が収容されている。
【００２２】
洗浄ノズル１２は、便座７に着座した使用者の局部を温水で洗浄するものであり、使用していない状態では本体５に収容されているが、図１に示すように、使用時には、ノズル駆動部により本体５から突出し、先端側から臀部に向かってヒータによって温められた温水を噴射するよう構成されている。
【００２３】
便座７は、便蓋８とともに、便座・便蓋開閉部１１を介して本体５に回動自在に取り付けられており、倒伏状態で使用者が着座する。
【００２４】
操作部６は、本体５の右側に位置し、局部洗浄装置４に備えられた機能のうち主要な一部を操作する。なお、操作部６には、使用者に操作上の各種情報を表示する表示部が備えられていてもよい。
【００２５】
図２は、後述する第１係止部２１の拡大図である。
【００２６】
図２に示すように、本体５は、操作部６を係止するための第１係止部２１を更に有する。
【００２７】
第１係止部２１は、本体５の右側部から突出するように設けられ、操作部６との第１合わせ面２２が重力方向上方を向いている。そして、第１係止部２１には、操作部６を係止するための第１磁石２３及び第２磁石２４と、操作部６を本体５に対して回転可能にする軸部２５と、が形成されている。
【００２８】
図２に示すように、軸部２５は、第１係止部２１の下端において、円柱状に突出している。そして、軸部２５は、第１磁石２３により構成されている。言い換えると軸部２５は、第１磁石２３の近傍に形成されている。また、第２磁石２４は、第１磁石２３の上方において、第１係止部２１に露出するようインサート形成されている。そして、第１磁石２３は、第２磁石２４より磁力が強い。
【００２９】
図３は、操作部６の拡大図である。
【００３０】
図３に示すように、操作部６は、直方体状を呈し、第１係止部２１により本体５に係止される。そして、操作部６には、局部洗浄装置４を操作するためのボタン３１と、当該操作部６を本体５に係止するための第２係止部３２と、を有している。
【００３１】
ボタン３１は、操作部６の上方に配設され、操作することで局部洗浄装置４により局部を洗浄することができる。そして、ボタン３１は、タッチパネルで構成され、触るだけで操作することができる。そのため、操作部６は、ボタン３１を操作する際に当該操作部６に掛かる荷重が軽減される。
【００３２】
第２係止部３２は、操作部６の本体５側の端部に磁性部材３５により形成され、第１係止部２１との第２合わせ面３４が重力方向下方を向いている。そして、第２係止部３２材には、軸部２５が着脱可能に嵌る軸受３３が形成されている。
【００３３】
図３に示すように、軸受３３は、第２係止部３２の下方において、扇状の溝部を呈し、第１係止部２１の軸部２５の半径と略同じである。そして、軸受３３が磁性部材３５により形成されている。言い換えると、軸受３３は、磁性部材３５の近傍に形成されている。また、軸受３３は、中心角が略９０度（１８０度以下が望ましい）に形成されている。
【００３４】
図４は、第１係止部２１及び第２係止部３２の断面図である。
【００３５】
図４に示すように、操作部６は、第１係止部２１と第２係止部３２により本体５に係止されている。詳しくは、第２係止部３２の軸受３３に第１係止部２１の軸部２５が着脱可能に嵌合した状態で、第１係止部２１の第１磁石２３と第２磁石２４が第２係止部３２の磁性部材３５を磁力により吸着することで、操作部６は、本体５に係止されている。そして、第１磁石２３及び第２磁石２４が磁性部材３５と当接し、第２係止部までの距離が等しいため、第２磁石２４より磁力が大きい第１磁石２３が第１磁性部材４１を引き合う力は、第２磁石２４が磁性部材３５を引き合う力より大きい。
【００３６】
次に操作部６の取り外しについて説明する。
【００３７】
図５は、本体５から操作部６を取り外した第１係止部２１及び第２係止部３２の断面図である。
【００３８】
図５に示すように、操作部６は、第１磁石２３と第２磁石２４の磁力により磁性部材３５を吸着しているため、第１磁石２３と第２磁石２４との磁力の吸着力以上の力で当該操作部６を引っ張ると本体５から取り外すことができる。
【００３９】
次に操作部６の落下抑制機能について説明する。
【００４０】
便座７に座った使用者が便座７から立ち上がる際、使用者が操作部６に手をついて立ち上がることが想定される。その場合、取り外し可能な操作部６は、本体５から外れてしまう恐れがある。
【００４１】
しかしながら、使用者が操作部６に手を突き、操作部６に上方からの力が加わった際、第２磁石２４部が磁性部材３５を引き合う力より第１磁石２３部が磁性部材３５を引き合う力が大きいため、第２磁石２４は、第１磁石２３部より先に操作部６を保持できなくなる。
【００４２】
図６は、操作部６の落下抑制機能が作動した第１係止部２１及び第２係止部３２の断面図である。
【００４３】
図６に示すように、第２磁石２４部の保持力がなくなった場合、操作部６が軸部２５と軸受３３を中心にして下方に回転するため、操作部６に力を加える使用者の手が操作部６から離れる。そのため、操作部６に使用者の手から加わる力は、第２磁石２４が保持できなくなった時点で操作部６に伝達されることが抑制される。したがって、操作部６には、第１磁石２３部の保持力以上の力が操作部６に伝達されることが抑制される。その結果、操作部６は、第１磁石２３と第１磁性部材４１により保持されることで床に落下することが抑制される。
【００４４】
上記実施形態によれば、以下に示す効果を得ることができる。
【００４５】
上記構成によれば、操作部６は、第１磁石２３及び第２磁石２４が磁性部材３５を吸着するため、本体５から取り外しが可能である。また、第１磁石２３及び第２磁石２４で吸着するため、第１係止部２１と第２係止部３２のあわせ面は、突起等により係止する場合と比べて、凹凸が減少する。そのため、便器１や操作部６の清掃が容易になる。
【００４６】
上記構成によれば、操作部６のボタン３１がタッチパネルで構成されているため、操作部６に必要以上の力が掛かることを抑制することができる。そのため、操作部６は、床に落下することができる。
【００４７】
上記構成によれば、操作部６の第２係止部３２は、第１係止部２１との第２合わせ面３４が重力方向下方を向いている。そのため、操作部６は、第２あわせ面から第１合わせ面２２に荷重をかけることができるため、本体５に係止するための第１磁石２３と第２磁石２４の磁力を軽減することができる。
〈第２実施形態〉
以下、第２実施形態について図７を参照して説明する。そして、第１実施形態と共通する部材構成については、同一の符号を付し、説明を省略又は簡略するものとする。
【００４８】
本体５には、便座・便蓋開閉部１１、洗浄ノズル１２、並びに、図示されない温水タンク、各種駆動部、ヒータ等が収容されている。
【００４９】
そして、便座・便蓋開閉部１１は、便器１及び便座７の開閉を緩やかにする図示されないダンパ部を有する。
【００５０】
図７に示すように、便座７は、操作部６を係止するための第１係止部２１と、を有する。
【００５１】
上記実施形態によれば、第１実施形態の効果に加えて以下に示す効果を得ることができる。
【００５２】
上記構成によれば、操作部６を便座７に取り付けることができる。
【００５３】
上記構成によれば、便座７に取り付けられた着脱可能な操作部６は、便座７がダンパにより緩やかに開閉するため、便座７から落下することが抑制される。
〈第３実施形態〉
以下、第３実施形態について図８を参照して説明する。そして、第１実施形態と共通する部材構成については、同一の符号を付し、説明を省略又は簡略するものとする。
【００５４】
図８に示すように、本体５は、操作部６を係止するための第１係止部２１を有する。
【００５５】
第１係止部２１は、本体５の右側部から突出するように設けられ、操作部６との第１合わせ面２２が重力方向下方を向いている。そして、第１係止部２１には、操作部６を係止するための第１磁石２３及び第２磁石２４と、操作部６を回転可能にする軸部２５と、が形成されている。
【００５６】
第１実施形態と同様に軸部２５は、第１係止部２１の下端において、円柱状に突出している。そして、軸部２５には、円柱状の第１磁石２３が中心部にインサート形成されている。言い換えると軸部２５は、第１磁石２３の近傍に形成されている。また、第２磁石２４は、第１磁石２３の上方において、第１係止部２１に露出するようインサート形成されている。そして、第１磁石２３は、第２磁石２４より磁力が強い。
【００５７】
第１実施形態と同様に、操作部６は、直方体状を呈し、第１係止部２１により本体５に係止される。そして、操作部６には、局部洗浄装置４を操作するためのボタン３１と、当該操作部６を本体５に係止するための第２係止部３２と、を有している。
【００５８】
第２係止部３２は、操作部６の本体５側の端部に磁性部材３５により形成され、第１係止部２１との第２合わせ面３４が重力方向上方を向いている。
【００５９】
上記実施形態によれば、第１実施形態の効果に加えて以下に示す効果を得ることができる。
【００６０】
上記構成によれば、本体５の第１係止部２１は、操作部６の第２係止部３２との合わせ面が下方を向いている。そのため、軸部２５と軸受３３は、上方から第１係止部２１を見た際、第１係止部２１の合わせ面に隠れて視認することができない。その結果、使用者が操作部６に上方から手を突いた際、上方からの力が軸部２５と軸受３３に直接加わることを抑制できるため、操作部６は、第１磁石２３の力で保持されることで床に落下することが抑制される。
〈変形例〉
（１）第１実施形態においては、第２係止部３２は、磁性部材３５で形成されていた。
【００６１】
しかし、図９に示すように、第２係止部３２には、第１磁石２３と係止する第１磁性部材４１と、第２磁石２４と係止する第２磁性部材４２と、を有してもよい。
（２）上記変形例（１）では、第１係止部２１が第１磁石２３と第２磁石２４とを有し、第２係止部３２が第１磁性部材４１と第２磁性部材４２を有する。しかし、第１係止部２１と第２係止部３２のいずれか一方が、第１磁石２３を有し、他方が、第１磁石２３の磁力が及ぶ範囲に第１磁性部材４１を有してもよい。同様に、第１係止部２１と第２係止部３２のいずれか一方が第１磁石２３より重力方向上方に第２磁石２４を有し、他方が第２磁石２４の磁力が及ぶ範囲に第２磁性部材４２を有してもよい。
（３）第１実施形態では、第１係止部２１が軸部２５を有し、第２係止部３２が軸受３３を有する。しかし、第１係止部２１が軸受３３を有し、第２係止部３２が軸部２５を有してもよい。
（４）第１実施形態においては、第２係止部３２は、磁性部材３５で形成されていた。しかし、第２係止部３２は、第１磁石２３及び第２磁石２４と引き合う磁石で形成されていてもよい。
（５）第１実施形態及び第２実施形態おいては、操作部６は、本体５（便座７）の右側に配設されたが、左側に配設してもよい。
【符号の説明】
【００６２】
１  便器
４  局部洗浄装置
５  本体
６  操作部
７  便座
１１  便座・便蓋開閉部
２１  第１係止部
２２  第１合わせ面
２３  第１磁石
２４  第２磁石
２５  軸部
３１  ボタン
３２  第２係止部
３３  軸受
３４  第２合わせ面
３５  磁性部材
４１  第１磁性部材
４２  第２磁性部材
【図１】
2020100972.tif 000003
【図２】
2020100972.tif 000004
【図３】
2020100972.tif 000005
【図４】
2020100972.tif 000006
【図５】
2020100972.tif 000007
【図６】
2020100972.tif 000008
【図７】
2020100972.tif 000009
【図８】
2020100972.tif 000010
【図９】
2020100972.tif 000011